Podtech/llm-jp-corpus-v4-ja_patent huggingface dataset:
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
吸気を冷却するインタクーラが車両の前部に配置され、
ラジエータが前記インタクーラの後方に配置され、
冷却ファンを収容するファンシュラウドが前記ラジエータの後面に設けられ、
エンジン本体が前記ファンシュラウドの後方に配置され、
吸気を圧縮する過給機が前記エンジン本体の上部の前面に配置され、
吸気マニホールドが前記エンジン本体の後面に配置され、
前記過給機で圧縮された吸気を前記インタクーラに導入するインタクーラインレット配管が前記インタクーラの車幅方向一端部に連結され、
前記インタクーラで冷却された吸気を前記吸気マニホールドに導入するインタクーラアウトレット配管が前記インタクーラの車幅方向他端部に連結された車両に適用される車両用インタクーラの配管構造であって、
前記インタクーラアウトレット配管は、前記ファンシュラウドと前記エンジン本体との間を前記車幅方向他端部側から前記車幅方向一端部側に横切る中間管部を有し、
前記中間管部は、前記エンジン本体の下部に固定されることを特徴とする車両用インタクーラの配管構造。
【請求項２】
前記エンジン本体の底部にオイルパンが設けられ、
前記中間管部は少なくとも前記オイルパンの前面に固定されることを特徴とする請求項１に記載の車両用インタクーラの配管構造。
【請求項３】
前記エンジン本体は、前記オイルパンの上端部に設けられたシリンダブロックを有し、
前記シリンダブロックおよび前記オイルパンにトランスミッションが接合され、
前記オイルパンは、前記シリンダブロックへ接合される第１接合部と、前記トランスミッションへ接合される第２接合部とを有し、
前記第２接合部は、前記第１接合部の前面より前方に突出する突出部を有し、
前記中間管部は少なくとも前記突出部において前記オイルパンに固定されていることを特徴とする請求項２に記載の車両用インタクーラの配管構造。
【請求項４】
前記オイルパンは、該オイルパンの前端部から前方に突出するオイルフィルタ取付部を有し、
前記オイルフィルタ取付部の下面に、オイルフィルタが取り付けられるオイルフィルタ取付面が設けられ、
前記オイルフィルタ取付部の前端部に、前記中間管部が固定される中間管部取付部が設けられることを特徴とする請求項２または請求項３に記載の車両用インタクーラの配管構造。
【請求項５】
前記過給機に連結された排気管が前記エンジン本体の前面および下面に沿って車両後方に延びており、
前記排気管は、車両上下軸に対して前傾する軸に沿って延びる傾斜部を有し、
前記中間管部は前記傾斜部の前方に配置されていることを特徴とする請求項１から請求項４の何れか１項に記載の車両用インタクーラの配管構造。
【請求項６】
前記排気管は、前記傾斜部の上端から上方に延びて前記過給機に連結される垂直部と、前記傾斜部の下端から後方に延びる水平部と、を有し、
前記エンジン本体を車幅方向に見た側面視で、前記垂直部の前面に沿う第１仮想線と、前記水平部の下面に沿う第２仮想線と、前記傾斜部の前面に沿う第３仮想線と、により囲まれる空間に、前記中間管部が配置されていることを特徴とする請求項５に記載の車両用インタクーラの配管構造。
【手続補正書】
【提出日】令和1年5月17日(2019.5.17)
【手続補正１】
【補正対象書類名】明細書
【補正対象項目名】００５８
【補正方法】変更
【補正の内容】
【００５８】
周方向部５７は、ピストン本体４０のウエアリング支持面５４に装着されている。周方向部５７は、円形リング状に構成されており、周方向の一部にはスリット５７ａ（切れ目）が形成されている。スリット５７ａは、マグネット保持部５８に対して周方向にずれた位置に形成されている。具体的に、スリット５７ａは、周方向に隣接するマグネット保持部５８間に形成されている。組立時には、保持部材４４は、径方向に強制的に広げられてウエアリング支持面５４の周囲に配置された後、弾性復元力で再び縮径することにより、マグネット配置溝５２及びウエアリング支持面５４に装着される。
【手続補正２】
【補正対象書類名】明細書
【補正対象項目名】００９０
【補正方法】変更
【補正の内容】
【００９０】
上述した流体圧シリンダ１０において、シリンダチューブ１２の代わりに、図６に示すシリンダチューブ１２Ｂが採用されてもよい。このシリンダチューブ１２Ｂは、外周部の一部に、軸方向に沿って延在する突起７４が設けられている。当該突起７４内に、磁気センサ装着用スロット７４ａが設けられている。磁気センサ装着用スロット７４ａ内に、板状（薄型）の磁気センサ６４ａが挿入される。シリンダチューブ１２Ｂの内周面には、回り止め用溝２４が設けられている。
【手続補正３】
【補正対象書類名】明細書
【補正対象項目名】００９１
【補正方法】変更
【補正の内容】
【００９１】
シリンダチューブ１２Ｂが採用された流体圧シリンダ１０において、ピストンロッド２０を回転させても、磁気センサ６４ａとマグネット４６との距離は維持される。このため、例えば、流体圧シリンダ１０の設備への据え付けの際に、磁気センサ６４ａとマグネット４６との距離を変えることなくピストンロッド２０を回転させることができ、便利である。また、シリンダチューブ１２Ｂの内周面に近接して設けられた磁気センサ装着用スロット７４ａ内に、磁気センサ６４ａが挿入されるため、磁気センサ６４ａと、マグネット４６（図２等参照）との距離を一層短くすることができる。よって、マグネット４６の軸方向の厚みを一層効果的に小さくすることができる。
【手続補正書】
【提出日】令和1年5月17日(2019.5.17)
【手続補正１】
【補正対象書類名】明細書
【補正対象項目名】００５１
【補正方法】変更
【補正の内容】
【００５１】
第１実施形態において、保持部材４４は、ピストン本体４０がシリンダチューブ１２に接触することを阻止するように構成されたウエアリング４４Ａであり、第２ヨーク４８に装着されている。ウエアリング４４Ａは、流体圧シリンダ１０の作動中に軸方向に垂直な方向に大きい横荷重がピストンユニット１８に作用した際にピストン本体４０の外周面が摺動孔１３の内周面に接触することを防止する。ウエアリング４４Ａの外径は、ピストン本体４０の外径よりも大きい。
【手続補正２】
【補正対象書類名】明細書
【補正対象項目名】００８２
【補正方法】変更
【補正の内容】
【００８２】
上述した流体圧シリンダ１０において、シリンダチューブ１２の代わりに、図４に示すシリンダチューブ１２Ａが採用されてもよい。このシリンダチューブ１２Ａは、外周部の一部に、軸方向に沿って延在する突起７４が設けられている。当該突起７４内に、磁気センサ装着用スロット７４ａが設けられている。磁気センサ装着用スロット７４ａ内に、板状（薄型）の磁気センサ６４ａが挿入される。
【手続補正３】
【補正対象書類名】明細書
【補正対象項目名】００８３
【補正方法】変更
【補正の内容】
【００８３】
シリンダチューブ１２Ａが採用された流体圧シリンダ１０では、シリンダチューブ１２Ａの内周面に近接して設けられた磁気センサ装着用スロット７４ａ内に、磁気センサ６４ａが挿入されるため、磁気センサ６４ａと、複数のマグネット４６を有する磁気構造部４９（図２等参照）との距離を一層短くすることができる。よって、マグネット４６の軸方向の厚みを一層効果的に小さくすることができる。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
熱可塑性繊維を有し、第１面側と該第１面側の反対面側である第２面側とを有する不織布であって、
前記第１面側の外面繊維層、前記第２面側の外面繊維層、前記第１面側の外面繊維層と前記第２面側の外面繊維層との間の複数の連結部、及び該連結部間の中空部を有し、
前記中空部が前記不織布の平面視交差する異なる複数の方向に沿って平面方向に連続しており、
前記平面視交差する異なる複数の方向のうち、一の方向において前記中空部が連続してなる通気路の流路面積が、前記一の方向と交差する他の方向において前記中空部が連続してなる通気路の流路面積より小さい、不織布。
【請求項２】
前記第１面側の外面繊維層が、前記不織布の平面視交差する異なる方向のそれぞれに沿って延出する長さを有する２種を有し、
前記第１面側における前記２種の外面繊維層のうち、一方の外面繊維層は、前記一の方向に連続して延出し、前記一の方向と交差する前記他の方向に複数互いに離間して配されており、他方の外面繊維層は、前記他の方向に延出して前記一方の外面繊維層の間を繋いで配されている、請求項１記載の不織布。
【請求項３】
前記他方の外面繊維層の前記一の方向における幅が、前記一方の外面繊維層の前記他の方向における幅よりも狭くされている、請求項２記載の不織布。
【請求項４】
前記一の方向が不織布の長手方向又は幅方向であり、前記他の方向が前記長手方向又は幅方向と直交する方向である請求項１〜３のいずれか１項に記載の不織布。
【請求項５】
前記連結部の繊維が前記不織布の厚み方向に配向している請求項１〜４のいずれか１項に記載の不織布。
【請求項６】
前記連結部が、前記不織布の厚み方向の高さと、前記第１面側の外面繊維層及び前記第２面側の外面繊維層の延出方向に沿う不織布の平面方向の幅とを備えた壁面を有し、該壁面が、前記不織布の平面視交差する異なる複数の方向に沿って配されている請求項１〜５のいずれか１項に記載の不織布。
【請求項７】
前記不織布の前記第１面側に凹凸面を有する請求項１〜６のいずれか１項に記載の不織布。
【請求項８】
前記連結部が、前記不織布の厚み方向の高さと、前記第１面側の外面繊維層及び前記第２面側の外面繊維層の延出方向に沿う不織布の平面方向の幅とを備えた壁面を有し、
前記凹凸面には、前記壁面に囲まれ、前記第１面側に開口する凹部が配されている請求項７記載の不織布。
【請求項９】
前記第１面側の外面繊維層及び前記第２面側の外面繊維層が、前記中空部の表裏を覆っている請求項１〜８のいずれか１項に記載の不織布。
【請求項１０】
請求項１〜９のいずれか１項に記載の不織布を有する吸収性物品。
【手続補正２】
【補正対象書類名】明細書
【補正対象項目名】００１５
【補正方法】変更
【補正の内容】
【００１５】
（繊維量の測定方法）
上記の繊維量は以下のように測定される。
不織布１０について測定対象の部位（例えば連結部間）を通るように厚み方向に切断する。走査電子顕微鏡を使用して切断面を拡大観察し、一定面積あたりの切断面中の切断されている繊維の断面を数える。拡大観察は、繊維断面が３０本から６０本程度計測できる倍率（１５０倍以上５００倍以下）に調節する。次に１ｍｍ２あたりの繊維の断面数に換算し、これを繊維密度（本／ｍｍ２）とする。測定は、それぞれ３ヶ所行い、平均してそのサンプルの繊維密度とする。上記走査電子顕微鏡には、日本電子株式会社製のＪＣＭ−５１００（商品名）を用いる。
【手続補正３】
【補正対象書類名】明細書
【補正対象項目名】００７９
【補正方法】変更
【補正の内容】
【００７９】
（実施例１）
図１に示す不織布を、繊維径１．２ｄｔｅｘの芯鞘型（ポリエチレンテレフタレート（ＰＥＴ）／ポリエチレン（ＰＥ）＝５：５）の熱可塑性繊維を用い、図５に示す工程を含むエアスルー製造方法によって作製した。これを実施例１の不織布試料とした。第１の熱風Ｗ１による吹き付け処理は、温度１６０℃、風速５４ｍ／ｓ、吹き付け時間３秒の条件で行った。第２の熱風Ｗ２による吹き付け処理は、温度１６０℃、風速６ｍ／ｓ、吹き付け時間３秒の条件で行った。
【手続補正４】
【補正対象書類名】明細書
【補正対象項目名】００８１
【補正方法】変更
【補正の内容】
【００８１】
（実施例２）
図１に示す不織布を、繊維径２．９ｄｔｅｘの熱可塑性繊維を用い、図５に示す工程を含むエアスルー製造方法によって作製した。これを実施例２の不織布試料とした。第１の熱風Ｗ１による吹き付け処理は、温度１６０℃、風速５４ｍ／ｓ、吹き付け時間３ｓ条件で行った。第２の熱風Ｗ２による吹き付け処理は、温度１６０℃、風速６ｍ／ｓ、吹き付け時間３ｓ条件で行った。
実施例２の不織布試料において、実施例１と同様に、第１中空部４１と第２中空部４２とが網目状に繋がっていた。
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
複数の検査画像を含む検査データを受け付ける受付手段と、
複数の見本画像を含む見本検査データに、前記見本画像を画面上に配置する際の前記見本画像の大きさと配置位置が定められたレイアウトを表すレイアウト情報をそれぞれ対応付けて記憶する記憶部に接続する接続手段と、
前記検査データに含まれる各検査画像と前記見本検査データに含まれる各見本画像間の類似度を用いて、前記検査データに類似する前記見本検査データを特定する類似検査データ特定手段と、
前記検査データに類似する前記見本検査データに対応付けられたレイアウト情報に従って、前記検査データに含まれる前記検査画像を表示する表示手段とを備えた自動レイアウト装置。
【請求項２】
前記検査データおよび前記見本検査データは、異なる種類のモダリティで撮影された画像を含み、
前記類似検査データ特定手段が、同じ種類のモダリティで撮影された前記検査画像と前記見本画像を対応付けて前記類似度を取得する請求項１記載の自動レイアウト装置。
【請求項３】
前記検査データおよび前記見本検査データは、磁気共鳴画像撮影装置の異なる種類の撮影プロトコルで撮影された複数の画像を含む請求項１または２記載の自動レイアウト装置。
【請求項４】
前記類似検査データ特定手段が、
前記見本検査データに含まれる見本画像の１つと前記検査データに含まれる検査画像の１つの組合せのそれぞれについて、前記検査画像と前記見本画像の類似度を取得する類似度取得手段を備え、
前記検査データにおいて、前記検査画像に対応付けられる前記見本画像が１以下であり、かつ、前記見本画像に対応付けられる前記検査画像が１以下であるという条件を満たすように、前記検査画像と前記見本画像を対応付けた場合に、対応付けられた前記検査画像と前記見本画像の組合せにおける前記類似度取得手段によって取得された全ての前記類似度を用いて、所定の規則に従って前記検査データに類似する見本検査データを特定する請求項１から３のいずれか１項記載の自動レイアウト装置。
【請求項５】
前記類似検査データ特定手段は、前記見本検査データに含まれる見本画像のそれぞれのレイアウト上の表示位置に基づいて重み係数を設定し、各検査画像と各見本画像の類似度に該見本画像の前記重み係数を掛け合わした類似度を用いて、前記検査データに類似する前記見本検査データを特定する請求項４に記載の自動レイアウト装置。
【請求項６】
前記類似検査データ特定手段が、
２つの前記組合せにおいて、第１の組合せに含まれる検査画像と第２の組合せに含まれる検査画像の撮影時刻の前後関係と、前記第１の組合せに含まれる見本画像と前記第２の組合せに含まれる見本画像の撮影時刻の前後関係とに基づいて前記類似度の調整値を取得する調整値取得手段をさらに備え、
前記条件を満たすように、前記検査画像と前記見本画像を対応付けた場合に、対応付けられた前記見本画像と前記検査画像の組合せにおける前記類似度取得手段によって取得された全ての前記類似度と、２つの前記組合せにおける前記調整値取得手段によって取得された全ての前記調整値とを用いて、所定の規則に従って前記検査データに類似する見本検査データを特定する請求項４または５記載の自動レイアウト装置。
【請求項７】
前記調整値取得手段が、前記第１の組合せに含まれる見本画像と前記第２の組合せに含まれる見本画像の撮影時刻の順番と前記第１の組合せに含まれる検査画像と前記第２の組合せに含まれる検査画像の撮影時刻の順番が一致する場合には、前記調整値は前記類似度を高くする値を設定する請求項６記載の自動レイアウト装置。
【請求項８】
前記レイアウトの見本画像には断層画像が含まれ、
前記検査データの検査画像には断層画像が含まれ、
前記類似検査データ特定手段が、
２つの前記組合せにおいて、第１の組合せに含まれる見本画像と第２の組合せに含まれる見本画像の断層位置の前後関係と、前記第１の組合せ含まれる検査画像と前記第２の組合せに含まれる検査画像の断層位置の前後関係とに基づいて前記類似度の調整値を取得する調整値取得手段とを備え、
前記条件を満たすように、前記見本画像と前記検査画像を対応付けた場合に、対応付けられた前記見本画像と前記検査画像の組合せにおける前記類似度取得手段によって取得された全ての前記類似度と、２つの前記組合せにおける前記調整値取得手段によって取得された全ての前記調整値とを用いて所定の規則に従って前記検査データに類似する見本検査データを特定する請求項４または５記載の自動レイアウト装置。
【請求項９】
前記調整値取得手段が、前記第１の組合せに含まれる見本画像と前記第２の組合せに含まれる見本画像の断層位置の順番と前記第１の組合せに含まれる検査画像と前記第２の組合せに含まれる検査画像の断層位置の順番が一致する場合には、前記調整値は前記類似度を高くする値を設定する請求項８記載の自動レイアウト装置。
【請求項１０】
前記類似度取得手段が、前記検査画像と前記見本画像のヒストグラムに基づいて類似度を取得する請求項４から９のいずれか１項記載の自動レイアウト装置。
【請求項１１】
前記検査データが、１以上の電子文書データを含み、
前記類似検査データ特定手段が、前記検査データの電子文書データと見本画像データの電子文書データに類似するキーワードが含まれるか否かに基づいて、前記検査データに類似する前記見本検査データを特定する請求項１〜１０のいずれか１項記載の自動レイアウト装置。
【請求項１２】
受付手段と、接続手段と、類似検査データ特定手段と、表示手段とを備えた自動レイアウト装置において、
前記受付手段が、複数の検査画像を含む検査データを受け付ける受付ステップと、
前記接続手段が、複数の見本画像を含む見本検査データに、前記見本画像を画面上に配置する配置位置が定められたレイアウトを表すレイアウト情報をそれぞれ対応付けて記憶する記憶部に接続する接続ステップと、
前記類似検査データ特定手段が、前記検査データに含まれる各検査画像と前記見本検査データに含まれる各見本画像間の類似度を用いて、前記検査データに類似する前記見本検査データを特定する類似検査データ特定ステップと、
前記表示手段が、前記検査データに類似する前記見本検査データに対応付けられたレイアウト情報に従って、前記検査データに含まれる前記検査画像を表示する表示ステップとを備えた自動レイアウト方法。
【請求項１３】
コンピュータを、
複数の検査画像を含む検査データを受け付ける受付手段と、
複数の見本画像を含む見本検査データに、前記見本画像を画面上に配置する際の前記見本画像の大きさと配置位置が定められたレイアウトを表すレイアウト情報をそれぞれ対応付けて記憶する記憶部に接続する接続手段と、
前記検査データに含まれる各検査画像と前記見本検査データに含まれる各見本画像間の類似度を用いて、前記検査データに類似する前記見本検査データを特定する類似検査データ特定手段と、
前記検査データに類似する前記見本検査データに対応付けられたレイアウト情報に従って、前記検査データの検査画像を表示する表示手段として機能させる自動レイアウトプログラム。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
スリット状の開口からなり、板面を略垂直にした起立姿勢のメダルが投入されるメダル投入口と、
メダルを前記起立姿勢のまま略水平方向へとスライドさせて前記メダル投入口へと案内するための案内路と、
前記案内路の側方に設けられた凹部または平坦部からなり、遊技者が前記案内路を介して前記メダル投入口へメダルを投入する投入動作を行うための動作スペースを形成するための動作スペース形成部と、
前記案内路により案内されるメダルの案内方向に長く形成されて前記案内路の底面に配置される複数の凸条からなり、メダルの下側を前記凸条の上端部分により支持しながら前記メダル投入口へと案内するための案内レールと、
前記案内路のうち前記メダル投入口とは反対側の端部に設けられた凸部と、
を備えたことを特徴とする遊技機。
【請求項２】
スリット状の開口からなり、板面を略垂直にした起立姿勢のメダルが投入されるメダル投入口と、
メダルを前記起立姿勢のまま略水平方向へとスライドさせて前記メダル投入口へと案内するための案内路と、
前記案内路の側方に設けられた凹部または平坦部からなり、遊技者が前記案内路を介して前記メダル投入口へメダルを投入する投入動作を行うための動作スペースを形成するための動作スペース形成部と、
を備えたことを特徴とする遊技機。
【請求項３】
スリット状の開口からなり、板面を略垂直にした起立姿勢のメダルが投入されるメダル投入口と、
メダルを前記起立姿勢のまま略水平方向へとスライドさせて前記メダル投入口へと案内するための案内路と、
前記案内路により案内されるメダルの案内方向に長く形成されて前記案内路の底面に配置される複数の凸条からなり、メダルの下側を前記凸条の上端部分により支持しながら前記メダル投入口へと案内するための案内レールと、
を備えたことを特徴とする遊技機。
【請求項４】
スリット状の開口からなり、板面を略垂直にした起立姿勢のメダルが投入されるメダル投入口と、
メダルを前記起立姿勢のまま略水平方向へとスライドさせて前記メダル投入口へと案内するための案内路と、
前記案内路のうち前記メダル投入口とは反対側の端部に設けられた凸部と、
を備えたことを特徴とする遊技機。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
第１制御手段と、
前記第１制御手段からの情報に基づいて遊技に関する画像を表示手段に表示する第２制御手段と、を備え、
前記第１制御手段は、有利状態中に前記第２制御手段が異常状態となり、前記第２制御手段が前記異常状態から復旧したときに、有利状態中であることを特定可能な特定情報を前記第２制御手段に出力する、
ことを特徴とする遊技機。
【手続補正２】
【補正対象書類名】明細書
【補正対象項目名】０００６
【補正方法】変更
【補正の内容】
【０００６】
（１）上記目的を達成するため、本発明に係る遊技機は、
可変表示（例えば、特別図柄の可変表示）を実行し、遊技者にとって有利な有利状態（例えば、大当り遊技状態）に制御可能な遊技機（例えば、パチンコ遊技機１）であって、
第１制御手段（例えば、第１演出制御基板１２）と、
前記第１制御手段からの情報（例えば、第２演出制御コマンド）に基づいて遊技に関する画像を表示手段に表示する第２制御手段（例えば、演出制御部３１のＶＤＰ）と、を備え、
前記第１制御手段は、有利状態中に前記第２制御手段が異常状態となり、前記第２制御手段が前記異常状態から復旧したとき（例えば、リセットされたとき）に、有利状態中であることを特定可能な特定情報（例えば、右打ち報知開始指定コマンド）を前記第２制御手段に出力する（例えば、図２６のステップＳ９０２〜Ｓ９０５）、
ことを特徴とする。
【手続補正書】
【提出日】令和1年8月9日(2019.8.9)
【手続補正１】
【補正対象書類名】明細書
【補正対象項目名】００３６
【補正方法】変更
【補正の内容】
【００３６】
第１の分類部２１は、３次元画像Ｖ０の各画素を複数種類の症例領域に分類する。本実施形態においては、第１の分類部２１は、３次元画像Ｖ０に含まれる肺領域に含まれる各画素を、複数種類の症例領域に分類できるようにディープラーニング（深層学習）がなされた多層ニューラルネットワークからなる判別器を有する。なお、第１の分類部２１が有する判別器が第１の判別器に対応する。多層ニューラルネットワークでは、入力されるデータに対する前段の階層により得られる異なる複数の演算結果データ、すなわち特徴量の抽出結果データに対して、各層において各種カーネルを用いて演算処理を行い、これにより得られる特徴量のデータを取得し、特徴量のデータに対して次段以降の処理層においてさらなる演算処理を行うことにより、特徴量の認識率を向上させて、入力されたデータを複数のクラスに分類することができる。
【手続補正２】
【補正対象書類名】明細書
【補正対象項目名】００５６
【補正方法】変更
【補正の内容】
【００５６】
なお、上述した変換定義情報は、本実施形態による医用画像分類装置において処理を行う際に、入力部１５を用いて操作者により選択される。そして、選択された変換定義情報がストレージ１３から読み出されて、第２の分類処理に供される。
【手続補正３】
【補正対象書類名】明細書
【補正対象項目名】００６６
【補正方法】変更
【補正の内容】
【００６６】
なお、説明のため、第１の分類部２１が有する判別器を以降第１の判別器と称する。第２の判別器は上述したように症例毎または医師毎に用意される。なお、第２の実施形態による医用画像分類装置の構成は、図２に示す第１の実施形態による医用画像分類装置の構成と同一であるため、ここでは装置についての詳細な説明は省略する。
【手続補正４】
【補正対象書類名】明細書
【補正対象項目名】００７１
【補正方法】変更
【補正の内容】
【００７１】
このように、変換定義情報として第２の判別器を用いることにより、第１の実施形態のように、各変換定義情報に対して変換パラメータを設定するよりも比較的高い自由度により第１の分類結果を変換して第２の分類結果を出力できるようになる。
【手続補正５】
【補正対象書類名】明細書
【補正対象項目名】００７６
【補正方法】変更
【補正の内容】
【００７６】
図１１は第２の分類結果の修正を説明するための図である。なお、ここでは第２の分類結果は、第２の変換定義情報に基づいて第１の分類結果を変換することにより取得されたものとする。図１１の左側に示すように、第２の分類結果に症例領域Ａ０１および症例領域Ａ０２が含まれており、操作者が入力部１５を操作して、図１１の右側に示すように、症例領域Ａ０２を症例領域Ａ０１に含めるように、症例領域Ａ０１の境界線を変更したものとする。修正部２４は操作者による修正の指示を受け付け、症例領域Ａ０１の症例に対する重み係数（Ｗ０１とする）を大きくし、症例領域Ａ０２の症例に対する重み係数（Ｗ０２とする）を小さくするように、変換定義情報を修正する。詳細には、第１の分類部２１が出力した肺領域内の各画素における第１の評価値のうち、症例領域Ａ０１の第２の評価値が症例領域Ａ０２の第２の評価値よりも大きくなるように、重み係数Ｗ０１，Ｗ０２を修正する。
【手続補正６】
【補正対象書類名】図面
【補正対象項目名】図６
【補正方法】変更
【補正の内容】
【図６】
2018175226.tif 000001
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
演出を表示可能な表示手段と、
変動表示に対応する所定表示を前記表示手段に表示可能な所定表示手段と、
前記所定表示の表示態様を変化させる特定演出を実行可能な特定演出実行手段と、を備え、
前記特定演出実行手段は、前記表示手段における第１位置と当該第１位置とは異なる第２位置との少なくとも一方において前記特定演出を開始可能であり、
前記特定演出実行手段は、前記第１位置と前記第２位置とにおいて共通態様の作用表示を用いて前記特定演出を実行可能であり、
前記特定演出の開始位置と、前記所定表示の表示位置との距離に応じて、当該所定表示が変化する期待度が異なる、遊技機。
【手続補正２】
【補正対象書類名】明細書
【補正対象項目名】０００７
【補正方法】変更
【補正の内容】
【０００７】
（Ａ）  変動表示を行ない、遊技者にとって有利な有利状態に制御可能な遊技機であって、
演出を表示可能な表示手段と、
変動表示に対応する所定表示を前記表示手段に表示可能な所定表示手段と、
前記所定表示の表示態様を変化させる特定演出を実行可能な特定演出実行手段と、を備え、
前記特定演出実行手段は、前記表示手段における第１位置と当該第１位置とは異なる第２位置との少なくとも一方において前記特定演出を開始可能であり、
前記特定演出実行手段は、前記第１位置と前記第２位置とにおいて共通態様の作用表示を用いて前記特定演出を実行可能であり、
前記特定演出の開始位置と、前記所定表示の表示位置との距離に応じて、当該所定表示が変化する期待度が異なる。
（１）  変動表示（可変表示等）を行ない、遊技者にとって有利な有利状態（大当り遊技状態等）に制御可能な遊技機（パチンコ遊技機１等）であって、
演出を表示可能な表示手段（演出表示装置９等）と、
変動表示に対応する所定表示（保留表示、あるいはアクティブ表示等）を前記表示手段に表示可能な所定表示手段（保留表示エリア１８ｃ、アクティブ表示エリアＡＨＡ等）と、
前記所定表示の表示態様を変化させる特定演出（図２２（ａ）（ｂ）（ｃ）（ｄ）に示すように、キャラクタ９３０がカラーボール９３１をアクティブ表示ＡＨに向けて投げると、カラーボール９３１がアクティブ表示ＡＨに衝突してアクティブ表示ＡＨの色が変わる等）を実行可能な特定演出実行手段（保留表示エリア１８ｃ、アクティブ表示エリアＡＨＡ等）とを備え、
前記特定演出実行手段は、前記表示手段における複数の位置のいずれかにおいて前記特定演出を開始可能であり（図２２に示す位置Ａ〜Ｃ等）、
前記特定演出の開始位置と、前記所定表示の表示位置との距離に応じて、当該所定表示が変化する期待度が異なる（図２７に示すように、位置Ａ、Ｂ、Ｃそれぞれで成功パターンとなる期待度は１００％、５０％、２０％等）。
【手続補正書】
【提出日】令和1年8月9日(2019.8.9)
【手続補正１】
【補正対象書類名】明細書
【補正対象項目名】００１４
【補正方法】変更
【補正の内容】
【００１４】
「症例領域」とは、対象領域内における特定の症状または特定の形態を呈する領域を意味する。このため、本発明においては、心臓および横隔膜等の特定の形態を呈する構造物そのものの領域も症例領域に含まれるものとする。
【手続補正２】
【補正対象書類名】明細書
【補正対象項目名】００３８
【補正方法】変更
【補正の内容】
【００３８】
本実施形態においては、分類部２２は、肺領域を複数種類の症例領域に分類できるようにディープラーニング（深層学習）がなされた多層ニューラルネットワークからなる判別器を有する。多層ニューラルネットワークでは、入力されるデータに対する前段の階層により得られる異なる複数の演算結果データ、すなわち特徴量の抽出結果データに対して、各層において各種カーネルを用いて演算処理を行い、これにより得られる特徴量のデータを取得し、特徴量のデータに対して次段以降の処理層においてさらなる演算処理を行うことにより、特徴量の認識率を向上させて、入力されたデータを複数のクラスに分類することができる。
【手続補正３】
【補正対象書類名】明細書
【補正対象項目名】００５４
【補正方法】変更
【補正の内容】
【００５４】
変化算出部２５は、マッピング画像Ｍ１とマッピング画像Ｍ０とにおける対応する症例領域について、重心位置の移動量および移動方向を算出する。図７は重心位置の移動量および移動方向を示す図である。マッピング画像Ｍ１とマッピング画像Ｍ０とにおいて、ラベル１の症例領域Ａ１１と症例領域Ａ０１とが対応し、ラベル２の症例領域Ａ１２と症例領域Ａ０２とが対応し、ラベル４の症例領域Ａ１４と症例領域Ａ０４とが対応する。ラベル１の症例領域Ａ１１および症例領域Ａ０１に関しては、重心位置Ｇ１１の重心位置Ｇ０１への移動量および移動方向を算出する。ラベル２の症例領域Ａ１２および症例領域Ａ０２に関しては、重心位置Ｇ１２の重心位置Ｇ０２への移動量および移動方向を算出する。ラベル４の症例領域Ａ１４および症例領域Ａ０４に関しては、重心位置Ｇ１４の重心位置Ｇ０４への移動量および移動方向を算出する。変化算出部２５は、算出した重心位置の移動方向および移動量をベクトルとして、マッピング画像Ｍ０に付与する。図７においては、マッピング画像Ｍ０に対して、マッピング画像Ｍ１から見た症例領域Ａ０１，Ａ０２，Ａ０４の重心位置の移動量および移動方向を表すベクトルが示されている。なお、ラベル２の症例領域Ａ１２，Ａ０２については、重心位置は移動していないため、ベクトルは示されていない。
【手続補正４】
【補正対象書類名】明細書
【補正対象項目名】００５９
【補正方法】変更
【補正の内容】
【００５９】
そして、位置合わせ部２４が、３次元画像Ｖ０，Ｖ１の位置合わせを行い、この位置合わせ結果に基づいてマッピング画像Ｍ０，Ｍ１の位置合わせを行う（ステップＳＴ４）。さらに、変化算出部２５が、マッピング画像Ｍ０，Ｍ１における対応する位置の症例領域について、症例領域の重心位置を算出し、マッピング画像Ｍ０，Ｍ１間における重心位置の移動量および移動方向、並びに大きさの変化量を分類された各症例領域の変化として算出する（ステップＳＴ５）。そして、表示制御部２６が、変化に関する情報をディスプレイ１４に表示し（ステップＳＴ６）、処理を終了する。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
変動表示に関する情報を保留記憶情報として記憶する保留記憶手段と、
前記保留記憶手段が記憶する保留記憶情報を保留表示として表示可能な保留表示手段と、
作用表示を作用させることにより前記保留表示の表示態様を変化させる特定演出を実行可能な特定演出実行手段と、
変動表示が開始される毎に前記保留表示を移動可能な移動手段と、を備え、
前記特定演出実行手段は、
前記保留表示が移動するタイミングと異なるタイミングにおいて、前記特定演出を実行可能であり、
前記作用表示の表示を開始し、所定期間経過後に前記保留表示の表示態様を変化させる第１パターンと、前記作用表示の表示を開始し、所定期間経過後に前記保留表示の表示態様を変化させない第２パターンと、を実行可能であり、
前記作用表示の表示を開始した後、前記第１パターンと前記第２パターンとの所定期間における共通のタイミングにおいて、対象となる前記保留表示に対する前記作用表示の速度を減速させる減速制御を実行可能である、
ことを特徴とする遊技機。
【手続補正２】
【補正対象書類名】明細書
【補正対象項目名】０００７
【補正方法】変更
【補正の内容】
【０００７】
（Ａ）  変動表示を行ない、遊技者にとって有利な有利状態に制御可能な遊技機であって、
変動表示に関する情報を保留記憶情報として記憶する保留記憶手段と、
前記保留記憶手段が記憶する保留記憶情報を保留表示として表示可能な保留表示手段と、
作用表示を作用させることにより前記保留表示の表示態様を変化させる特定演出を実行可能な特定演出実行手段と、
変動表示が開始される毎に前記保留表示を移動可能な移動手段と、を備え、
前記特定演出実行手段は、
前記保留表示が移動するタイミングと異なるタイミングにおいて、前記特定演出を実行可能であり、
前記作用表示の表示を開始し、所定期間経過後に前記保留表示の表示態様を変化させる第１パターンと、前記作用表示の表示を開始し、所定期間経過後に前記保留表示の表示態様を変化させない第２パターンと、を実行可能であり、
前記作用表示の表示を開始した後、前記第１パターンと前記第２パターンとの所定期間における共通のタイミングにおいて、対象となる前記保留表示に対する前記作用表示の速度を減速させる減速制御を実行可能である。
（１）  変動表示（可変表示等）を行ない、遊技者にとって有利な有利状態（大当り遊技状態等）に制御可能な遊技機（パチンコ遊技機１等）であって、
変動表示に対応する所定表示（保留表示、あるいはアクティブ表示等）を表示可能な所定表示手段（保留表示エリア１８ｃ、アクティブ表示エリアＡＨＡ等）と、
作用表示（ボール等）を作用させることにより前記所定表示の表示態様を変化させる特定演出（図１５（ａ）（ｂ）（ｃ）に示すように、キャラクタ９３０がカラーボール９３１を保留表示ＴＨに向けて投げると、カラーボール９３１が保留表示ＴＨに衝突して保留表示ＴＨの色が変わる等）を実行可能な特定演出実行手段（保留表示エリア１８ｃ、アクティブ表示エリアＡＨＡ等）とを備え、
前記特定演出実行手段は、
前記作用表示の表示を開始し、所定期間経過後に前記所定表示の表示態様を変化させる第１パターン（図１５（ａ）（ｂ）（ｃ）での成功パターン等）と、前記作用表示の表示を開始し、所定期間経過後に前記所定表示の表示態様を変化させない第２パターン（図１５（ａ）（ｂ）（ｄ）での失敗パターン等）と、を実行可能であり、
前記第１パターンと前記第２パターンとの所定期間における共通のタイミングにおいて、対象となる前記所定表示に対する前記作用表示の速度を減速させる減速制御（図１５（ｂ）に示すとおり、成功時と失敗時とで同じタイミングでボールの速度の減速を開始させる等）を実行可能である。
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
被検体の複数の異なる断面方向の断面画像を取得する断面画像取得部と、
複数の前記断面画像のそれぞれについて、前記各断面画像の各画素が属する組織または病変の種類を特定する一次分類処理を行う一次分類部と、
前記複数の断面画像に共通する画素について前記各断面画像の前記一次分類処理の結果を評価することによって、前記複数の断面画像に共通する画素が属する組織または病変の種類を再度特定する二次分類処理を行う二次分類部と、
前記組織または病変の解剖学上の特徴または画像特徴量に基づいて、前記二次分類処理の結果を補正する補正部とを備えた画像処理装置。
【請求項２】
前記補正部が、特定の断面方向の断面画像を用いて、前記各画素の前記二次分類処理の結果を補正する請求項１記載の画像処理装置。
【請求項３】
前記特定の断面方向が、前記被検体の撮影におけるスライス方向である請求項２記載の画像処理装置。
【請求項４】
前記特定の断面方向の断面画像が、前記複数の断面方向の断面画像のうち最も解像度が高い断面画像である請求項２または３記載の画像処理装置。
【請求項５】
前記補正部が、前記特定の断面方向の断面画像の各画素の信号値に基づいて、前記二次分類処理の結果を補正する請求項２から４いずれか１項記載の画像処理装置。
【請求項６】
前記補正部が、前記組織または病変の形状または位置の解剖学上の特徴に基づいて、前記二次分類処理の結果を補正する請求項１記載の画像処理装置。
【請求項７】
前記補正部が、前記二次分類処理によって分類された各画素によって特定される組織または病変の辺縁または重心位置の３次元空間上の連続性に異常がある場合に、前記各画素の前記二次分類処理の結果を補正する請求項１から６いずれか１項記載の画像処理装置。
【請求項８】
前記二次分類部が、前記二次分類処理を行う際、前記各断面画像のそれぞれの解像度に応じた重み付けを前記各断面画像の一次分類処理の結果に付加して評価する請求項１から７いずれか１項記載の画像処理装置。
【請求項９】
前記一次分類部が、機械学習によって生成された判別器を用いて前記一次分類処理を行う請求項１から８いずれか１項記載の画像処理装置。
【請求項１０】
被検体の複数の異なる断面方向の断面画像を取得し、
複数の前記断面画像のそれぞれについて、前記各断面画像の各画素が属する組織または病変の種類を特定する一次分類処理を行い、
前記複数の断面画像に共通する画素について前記各断面画像の前記一次分類処理の結果を評価することによって、前記複数の断面画像に共通する画素が属する組織または病変の種類を再度特定する二次分類処理を行い、
前記組織または病変の解剖学上の特徴または画像特徴量に基づいて、前記二次分類処理の結果を補正する画像処理方法。
【請求項１１】
コンピュータを、
被検体の複数の異なる断面方向の断面画像を取得する断面画像取得部と、
複数の前記断面画像のそれぞれについて、前記各断面画像の各画素が属する組織または病変の種類を特定する一次分類処理を行う一次分類部と、 
前記複数の断面画像に共通する画素について前記各断面画像の前記一次分類処理の結果を評価することによって、前記複数の断面画像に共通する画素が属する組織または病変の種類を再度特定する二次分類処理を行う二次分類部と、
前記組織または病変の解剖学上の特徴または画像特徴量に基づいて、前記二次分類処理の結果を補正する補正部として機能させる画像処理プログラム。
【手続補正書】
【提出日】令和1年8月8日(2019.8.8)
【手続補正１】
【補正対象書類名】明細書
【補正対象項目名】０００８
【補正方法】変更
【補正の内容】
【０００８】
「半画素ずらして重ねる」とは、第１および第２の検出手段が有する画素のサイズの半分の距離ずらして、第２の検出手段を第１の検出手段に対して重ねることを意味する。なお、第１および第２の検出手段においては画素が２次元に並ぶため、「半画素ずらす」とは、第１および第２の検出手段における画素が並ぶ縦横両方向に一方の検出手段を半画素分の距離ずらすことを意味する。
【手続補正２】
【補正対象書類名】明細書
【補正対象項目名】００３２
【補正方法】変更
【補正の内容】
【００３２】
高解像度化部３３は、対応位置関係および第１および第２の放射線画像Ｇ１，Ｇ２の画素値に基づいて、第１の放射線画像Ｇ１の画素間の位置に対応する画素値を推定して、第１および第２の放射線画像Ｇ１，Ｇ２よりも高解像度の処理済み放射線画像Ｇｐを生成する。ここで、本実施形態においては、第１の放射線検出器５と第２の放射線検出器６とは半画素ずらされて重ね合わせられている。このため、第１の放射線画像Ｇ１の各画素の中心位置の間を二等分する位置（以下各画素の中央位置とする）に、第２の放射線画像Ｇ２の画素が位置するはずである。しかしながら、Ｘ線源３から出射されるＸ線は、平行ビームではなく、コーンビームとなっている。このため、とくに第１および第２の放射線検出器の周辺位置において、図４に示すように、第２の放射線画像Ｇ２の画素は第１の放射線画像Ｇ１の各画素間の中央には位置しないものが多くなる。なお、図４においては、説明を簡単なものとするために、画素位置を１次元で示している。また、第１の放射線画像Ｇ１の画素値を黒丸、第２の放射線画像Ｇ２の画素値を白丸で示す。また、破線は第１の放射線画像Ｇ１の画素の中心位置、一点鎖線は第１の放射線画像Ｇ１における各画素間の中央位置をそれぞれ示している。
【手続補正３】
【補正対象書類名】明細書
【補正対象項目名】００４４
【補正方法】変更
【補正の内容】
【００４４】
１    撮影装置
２    コンピュータ
３    Ｘ線源
５、６    放射線検出器
８    表示部
９    入力部
２１    ＣＰＵ
２２    メモリ
２３    ストレージ
３１    画像取得部
３２    対応位置関係取得部
３３    高解像度化部
３４    縮小部
Ｇ１    第１の放射線画像
Ｇ２    第２の放射線画像
Ｇｐ    処理済み放射線画像
Ｈ    被写体
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による操作に基づく演出受付が許容される演出受付期間を発生し、該演出受付期間内で遊技者による操作に基づく演出受付がなされると操作後演出を実行可能な演出受付手段と、
前記演出受付期間内において、該演出受付期間の残り時間を示唆する残り時間示唆表示、及び遊技者の操作対象を摸した摸画像を表示可能な操作促進表示手段と、
前記演出受付期間が発生することを示唆する前兆演出表示を、前記摸画像が表示される摸画像領域を少なくとも含めた領域で行う前兆演出表示手段と
を備え、
前記演出受付期間として、遊技者による所定操作に関しての操作機会が付与される第１演出受付期間、及び遊技者による特定操作に関しての操作機会が付与される第２演出受付期間が少なくとも用意されており、
前記前兆演出表示として、互いに演出内容が異なる第１前兆演出表示及び第２前兆演出表示が少なくとも用意されており、
前記第１演出受付期間に対応する前兆演出表示として前記第１前兆演出表示が実行される場合、該第１前兆演出表示は、前記第１演出受付期間が発生していない演出状態から前記第１演出受付期間が発生している演出状態へと移行されるときにそれらの演出状態に跨るかたちで実行され、
前記第２演出受付期間に対応する前兆演出表示として前記第２前兆演出表示が実行される場合、該第２前兆演出表示は、前記第２演出受付期間が発生していない演出状態から前記第２演出受付期間が発生している演出状態へと移行されるときにそれらの演出状態に跨るかたちで実行され、
前記第１前兆演出表示が実行開始されてから前記第１演出受付期間が発生した以降に非表示にされるまでの時間は、前記第２前兆演出表示が実行開始されてから前記第２演出受付期間が発生した以降に非表示にされるまでの時間と異なるようになっており、
さらに、
遊技機の状態を判定する状態判定手段と、
当該遊技機が特定の状態になったことが前記状態判定手段により判定された場合、複数種類の報知音のうち特定の報知音を可聴出力させる報知音出力手段と、
音量設定値の変更を受け付ける音量設定値受付手段と、
前記音量設定値受付手段による音量設定値に基づいて音量を調整可能な音量調整手段と
を備え、
前記音量設定値の変更が受け付けられて音量が調整されると該調整された音量で音量調整確認音が可聴出力されうるが、前記特定の報知音が可聴出力されている状態において音量設定値の変更が受け付けられたときには前記音量調整確認音は可聴出力されないようになっており、
さらに、
前記第２演出受付期間内で遊技者による特定操作に基づく演出受付がなされずに該演出受付がなされたときと同じ操作後演出が実行開始される場合、該操作後演出が実行開始される時点で、前記摸画像は非表示にされず表示されている
ことを特徴とする遊技機。
【手続補正２】
【補正対象書類名】明細書
【補正対象項目名】０００６
【補正方法】変更
【補正の内容】
【０００６】
しかしながら、上記従来の遊技機では、遊技興趣の低下が懸念される。
【手続補正３】
【補正対象書類名】明細書
【補正対象項目名】０００８
【補正方法】変更
【補正の内容】
【０００８】
手段１：判定を行う判定手段と、
前記判定手段による判定にて所定の結果が得られたことに基づいて遊技者に特典を付与しうる特典付与手段と、
遊技者による操作に基づく演出受付が許容される演出受付期間を発生し、該演出受付期間内で遊技者による操作に基づく演出受付がなされると操作後演出を実行可能な演出受付手段と、
前記演出受付期間内において、該演出受付期間の残り時間を示唆する残り時間示唆表示、及び遊技者の操作対象を摸した摸画像を表示可能な操作促進表示手段と、
前記演出受付期間が発生することを示唆する前兆演出表示を、前記摸画像が表示される摸画像領域を少なくとも含めた領域で行う前兆演出表示手段と
を備え、
前記演出受付期間として、遊技者による所定操作に関しての操作機会が付与される第１演出受付期間、及び遊技者による特定操作に関しての操作機会が付与される第２演出受付期間が少なくとも用意されており、
前記前兆演出表示として、互いに演出内容が異なる第１前兆演出表示及び第２前兆演出表示が少なくとも用意されており、
前記第１演出受付期間に対応する前兆演出表示として前記第１前兆演出表示が実行される場合、該第１前兆演出表示は、前記第１演出受付期間が発生していない演出状態から前記第１演出受付期間が発生している演出状態へと移行されるときにそれらの演出状態に跨るかたちで実行され、
前記第２演出受付期間に対応する前兆演出表示として前記第２前兆演出表示が実行される場合、該第２前兆演出表示は、前記第２演出受付期間が発生していない演出状態から前記第２演出受付期間が発生している演出状態へと移行されるときにそれらの演出状態に跨るかたちで実行され、
前記第１前兆演出表示が実行開始されてから前記第１演出受付期間が発生した以降に非表示にされるまでの時間は、前記第２前兆演出表示が実行開始されてから前記第２演出受付期間が発生した以降に非表示にされるまでの時間と異なるようになっており、
さらに、
遊技機の状態を判定する状態判定手段と、
当該遊技機が特定の状態になったことが前記状態判定手段により判定された場合、複数種類の報知音のうち特定の報知音を可聴出力させる報知音出力手段と、
音量設定値の変更を受け付ける音量設定値受付手段と、
前記音量設定値受付手段による音量設定値に基づいて音量を調整可能な音量調整手段と
を備え、
前記音量設定値の変更が受け付けられて音量が調整されると該調整された音量で音量調整確認音が可聴出力されうるが、前記特定の報知音が可聴出力されている状態において音量設定値の変更が受け付けられたときには前記音量調整確認音は可聴出力されないようになっており、
さらに、
前記第２演出受付期間内で遊技者による特定操作に基づく演出受付がなされずに該演出受付がなされたときと同じ操作後演出が実行開始される場合、該操作後演出が実行開始される時点で、前記摸画像は非表示にされず表示されている
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
前面側を遊技球が流下可能な遊技盤と、前記遊技盤に設けられ、遊技球が入球可能な入賞口を有する入球ユニットとを備えた遊技機において、
前記入賞口は、開放状態と閉鎖状態とに切り替わる開閉部材によって開閉され、
前記入球ユニットの前側には遊技領域を背部領域として形成するカバー部が設けられ、
前記カバー部の盤面側には前記遊技球の流通を案内する流通案内手段が設けられ、
前記流通案内手段として、遊技球の流路を分岐させる非可動の固定部材として設けられ前記入賞口へと向かうように遊技球を転動させる傾斜面を有する分岐部を備え、該分岐部によって、前記入賞口に流通可能な第１流路と前記入賞口に流通しない第２流路とに遊技球が分岐されるようになっており、
前記カバー部の盤面側の遊技領域を流通する遊技球を該カバー部の透明領域を介して視認可能とされており、
前記カバー部の盤面側には遊技釘が設けられておらず、前記流通案内手段によってのみ遊技球の流通が案内されるようになっており、
前記分岐部の前記傾斜面に到達した遊技球が該傾斜面を前記入賞口へと向かうように転動したとき、前記開閉部材が閉鎖状態にある場合には必ず該開閉部材によって前記入賞口へ受け入れられず、前記開閉部材が開放状態にある場合には必ず前記入賞口へと案内される
ことを特徴とする遊技機。
【手続補正２】
【補正対象書類名】明細書
【補正対象項目名】０００２
【補正方法】変更
【補正の内容】
【０００２】
遊技機として、遊技盤の前面に形成された遊技領域に遊技媒体としての遊技球を打ち込み、この打ち込まれた遊技球が遊技領域に設けられた始動口に入賞したことにもとづいて表示装置（例えば、液晶表示装置）で図柄等の変動表示を実行し、大当り図柄が導出表示され場合に遊技者に所定の利益を付与する大当り遊技状態に制御するものがある（例えば特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
ところで、上述した従来の遊技機では、遊技領域に設けられる入賞口ユニットとして遊技興趣の低下を抑制する新たなものが望まれている実情にある。
【手続補正５】
【補正対象書類名】明細書
【補正対象項目名】０００６
【補正方法】変更
【補正の内容】
【０００６】
本発明は上記の実情に鑑み、遊技興趣の低下を抑制することが可能な遊技機の提供を目的とする。
【手続補正６】
【補正対象書類名】明細書
【補正対象項目名】０００７
【補正方法】変更
【補正の内容】
【０００７】
上記目的を達成するために、請求項１の発明においては、前面側を遊技球が流下可能な遊技盤と、前記遊技盤に設けられ、遊技球が入球可能な入賞口を有する入球ユニットとを備えた遊技機において、
前記入賞口は、開放状態と閉鎖状態とに切り替わる開閉部材によって開閉され、
前記入球ユニットの前側には遊技領域を背部領域として形成するカバー部が設けられ、
前記カバー部の盤面側には前記遊技球の流通を案内する流通案内手段が設けられ、
前記流通案内手段として、遊技球の流路を分岐させる非可動の固定部材として設けられ前記入賞口へと向かうように遊技球を転動させる傾斜面を有する分岐部を備え、該分岐部によって、前記入賞口に流通可能な第１流路と前記入賞口に流通しない第２流路とに遊技球が分岐されるようになっており、
前記カバー部の盤面側の遊技領域を流通する遊技球を該カバー部の透明領域を介して視認可能とされており、
前記カバー部の盤面側には遊技釘が設けられておらず、前記流通案内手段によってのみ遊技球の流通が案内されるようになっており、
前記分岐部の前記傾斜面に到達した遊技球が該傾斜面を前記入賞口へと向かうように転動したとき、前記開閉部材が閉鎖状態にある場合には必ず該開閉部材によって前記入賞口へ受け入れられず、前記開閉部材が開放状態にある場合には必ず前記入賞口へと案内される
ことを特徴とする遊技機。
【手続補正７】
【補正対象書類名】明細書
【補正対象項目名】０００９
【補正方法】変更
【補正の内容】
【０００９】
本発明によれば、遊技興趣の低下を抑制することが可能となる。